(57)【要約】【課題】中継器盤内の中継器取付作業を効率化するようにした中継器のベース取付構造を得ることを目的とする。【解決手段】略箱形筐体の底部長手方向の両端部に嵌合溝部５と係止部６をそれぞれ設け、前記略箱形筐体の底部近傍の短手方向の両側面に少なくとも１対の係合用突起部７を設けた中継器１と、中継器１を収容する凹状の中継器収容部１３に、嵌合溝部５と嵌合する嵌合突部１４と、係止部６と係合して保持する係止片１５と、係合用突起部７と係合して抜け止めする突起受け部１６を設けて構成されるベース１１とを備え、ベース１１の中継器収容部１３に中継器１が収容されて、ベース１１の嵌合突部１４に中継器１の嵌合溝部５が嵌合すると共にベース１１の係止片１５に中継器１の係止部６が係止され、ベース１１の突起受け部１６に中継器１の係合用突起部７が抜け止め状態に係合するようにしたものである。【選択図】図１
2007334592.tif 000002
【特許請求の範囲】
【請求項１】
略箱形筐体の底部長手方向の両端部に嵌合溝部と係止部をそれぞれ設け、かつ、前記略箱形筐体の底部近傍の短手方向の両側面に少なくとも１対の係合用突起部を設けた中継器と、
前記中継器を収容する凹状の中継器収容部に、前記嵌合溝部と嵌合する嵌合突部と、前記係止部と係合して保持する係止片と、前記係合用突起部を収容して抜け止めする突起受け部を設けて構成されるベースとを備え、
前記ベースの中継器収容部に前記中継器が収容されて、前記ベースの嵌合突部に前記中継器の嵌合溝部が嵌合すると共に前記ベースの係止片に前記中継器の係止部が係止され、前記ベースの突起受け部に前記中継器の係合用突起部が抜け止め状態に係合することを特徴とする中継器のベース取付構造。
【請求項２】
前記ベースに少なくとも一つ以上の前記中継器収容部が並設され、前記中継器がそれぞれの中継器収容部に同一方向に配置されるようにしたことを特徴とする請求項１記載の中継器のベース取付構造。
【請求項３】
前記中継器を取り付けする前記ベースが、中継器盤と着脱可能に取り付けされることを特徴とする請求項１〜２記載の中継器のベース取付構造。
【発明の詳細な説明】
【技術分野】
【０００１】
本発明は防災用の端末機器の状態を検出する中継器のベース取付構造に係り、特に中継器盤内の中継器取付作業の効率化を図るようにしたものに関する。
【背景技術】
【０００２】
従来の中継器は、中継器盤のレール上に配置し、左右にスライドさせて中継器盤に設けたネジ取付部でネジ止め固定していた（例えば、特許文献１参照）。
【特許文献１】特開２００４−２５２６２５号公報（第３頁、図１）
【発明の開示】
【発明が解決しようとする課題】
【０００３】
しかしながら、従来の中継器では、中継器盤に配置されているレール上を左右にスライドさせ、中継器盤に設けたネジ取付部にネジ止め固定していたため、全ての中継器を固定するまで時間がかかり、また、レールは中継器盤に固定されているため、作業者は横向きにネジ固定等の作業を不安定な姿勢のまま行なわなければならないという問題があった。
本発明はかかる問題点を解決するためになされたもので、中継器盤内の中継器取付作業の効率化を図るようにした中継器のベース取付構造を得ることを目的とする。
【課題を解決するための手段】
【０００４】
本発明に係る中継器のベース取付構造は、略箱形筐体の底部長手方向の両端部に嵌合溝部と係止部をそれぞれ設け、かつ、前記略箱形筐体の底部近傍の短手方向の両側面に少なくとも１対の係合用突起部を設けた中継器と、前記中継器を収容する凹状の中継器収容部に、前記嵌合溝部と嵌合する嵌合突部と、前記係止部と係合して保持する係止片と、前記係合用突起部を収容して抜け止めする突起受け部を設けて構成されるベースとを備え、前記ベースの中継器収容部に前記中継器が収容されて、前記ベースの嵌合突部に前記中継器の嵌合溝部が嵌合すると共に前記ベースの係止片に前記中継器の係止部が係止され、前記ベースの突起受け部に前記中継器の係合用突起部が抜け止め状態に係合するようにしたものである。
【発明の効果】
【０００５】
以上で説明したように本発明の中継器のベース取付構造によれば、ベースの凹状の中継器収容部に略箱形筐体の中継器が収容されて、ベースの嵌合突部に中継器の嵌合溝が嵌合すると共にベースの係止片に中継器の係止部が係止され、ベースの突起受け部に中継器の係合用突起部が抜け止め状態に係合するようにしたので、中継器をベースに取り付ける際は、工具を使わずにベースの各部材と中継器の各部材を嵌合や係止という簡単な作業で行え、組立作業の効率化を図ることができ、しかもベースに中継器がガタなく取り付けられるという効果がある。
【発明を実施するための最良の形態】
【０００６】
実施の形態１．
図１は本発明の実施の形態１の中継器のベース取付構造を構成する中継器の平面図、図２は同中継器のベース取付構造を構成する中継器の正面図、図３は同中継器のベース取付構造を構成する中継器の側面図、図４は同中継器のベース取付構造を構成するベースの平面図、図５は同中継器のベース取付構造を構成するベースの側面図、図６は同中継器のベース取付構造を構成するベースの背面図、図７は同中継器のベース取付構造を構成するベースに複数の中継器を取り付けた状態の平面図、図８は同中継器のベース取付構造を構成するベースに複数の中継器を取り付けた状態の背面図、図９は図７のＡ−Ａ線で切断した断面図、図１０は中継器盤にベースを取り付けた状態の平面図、図１１は中継器盤とベースとの係合状態の断面図である。
【０００７】
図１〜図３において、１は端末機器の状態を検出し、その検出信号を火災受信機（図示省略）に送る細長い略箱形筐体の中継器で、中継器本体２と、中継器本体２の上部に取り付けられたカバー３とから構成されている。
その中継器本体２の底部長手方向の両端部にそれぞれ取付フランジ４が設けられている。一方の取付フランジ４にはフランジ端部から切り欠いたＵ字状の嵌合溝５が設けられており、他方の取付フランジ４には該取付フランジ４の下端縁で構成される係止部６が設けられている。
【０００８】
また、中継器本体２の底部近傍の短手方向の両側面にそれぞれ所定の間隔を置いて相対向するよう４対の係合用突起部７が設けられている。
カバー３の上部には端子台８とアドレス設定器接続用コネクタ９が設けられている。
また、中継器本体２の外周面の上部には４つの本体被係合部１０ａが設けられ、カバー３の外周面の下部には中継器本体２の各本体被係合部１０ａと係合する４つのカバー係合部１０ｂが設けられている。中継器本体２の本体被係合部１０ａにカバー３のカバー係合部１０ｂが係合することにより、中継器本体２にカバー３が取り付け固定される。
そのカバー係合部１０ｂは長手方向の両端部で固定するとともに、その中央部分の１対のカバー係合部１０ｂを本体係合部１０ａに引っ掛けることで、中央部分での隙間の発生やカバー３の浮き上がりを防止する。
【０００９】
図４〜図６において、１１は例えば４つの中継器１が取り付けられる略正方形で、底が浅く上部が開口した函状のベースで、３つの仕切壁１２によって４つの細長い凹状の中継器収容部１３が形成されている。
各中継器収容部１３の長手方向一端側内壁には中継器本体１の取付フランジ４のＵ字状の嵌合溝５と嵌合するＵ字状の嵌合突部１４が設けられ、その長手方向他端側の底部には該底部を切り起こして形成された弾性を有する係止片１５が設けられている。その係止片１５の途中には中継器本体１の取付フランジ４の係止部６を係止する係止段部１５ａが設けられている。
【００１０】
また、各中継器収容部１３の短手方向両側内壁の上部にはそれぞれ所定の間隔を置いて相対向するよう４対の抜止用突起受け部１６が設けられている。
さらに、ベース１１の底部の両端部にはそれぞれ間隔を置いて先端に係止爪１７ａを有する取付フック１７が２つずつ垂下して設けられている。
図１０に示すように、２１は例えば２つのベース１１が取り付けられる中継器盤で、底が浅く上部が開口した函状の中継器盤本体２２と、中継器盤本体２２の開口を閉鎖する蝶番２４で開閉自在なカバー扉２３とで構成されている。
その中継器盤本体２２の底部には、２つのベース１１を取り付けるための係合穴２５が８つ設けられている。
【００１１】
次に、本発明の実施の形態１の中継器のベース取付構造の取付手順について説明する。
まず、中継器本体２の係合用突起部７が中継器収容部１３の抜止用突起受け部１６の脇に位置するように、ベース１１の中継器収納部１３内に中継器１を載せる。
しかる後に、中継器収容部１３の嵌合突部１４が中継器本体２の取付フランジ４の係止溝５に嵌合するように、中継器収容部１３内でその長手方向に中継器本体２をスライドさせる。
【００１２】
その中継器本体２のスライドにより、中継器本体２の取付フランジ４の底部が中継器収容部１３の底部内に突出する係止片１５を弾性に抗して押し下げ、取付フランジ４の下端縁で構成される係止部６が係止片１５の係止段部１５ａを通過したところで係止片１５がその弾性により元の位置に復帰し、係止片１５の係止段部１５ａが中継器本体２の底部の係止部６と係合し、それと同時に中継器本体２の両側面の４つの係合用突起部７が中継器収容部１３の両側壁の上部に設けた４つの抜止用突起受け部１６の直下に位置し、中継器収容部１３に対して中継器本体２が上方への抜け止めがされた状態に取り付けられる。
このようにしてベース１１の４つの中継器収容部１３内に、図７、図８に示すように４つの中継器１を取り付ける。
【００１３】
このとき、係合用突起部７の幅は短く、同じ幅に形成された抜止用突起受け部１６の直下に位置するまでの移動量は少ない。そのため、取付作業はベース１１の正面から中継器本体２を中継器収容部１３に嵌め込む動きとなり、最後に中継器本体２をわずかにベース１１の側方にずらすことで、簡便に取り付けることができる。なお、係合用突起部７は１対以上あればよく、抜止用突起受け部１６もそれに合わせた個数でよい。
【００１４】
次に、４つの中継器１を取り付けたベース１１の中継器盤２１への取り付けを行う。
そのベース１１の中継器盤２１への取り付けは、ベース１１の底部の端部に垂下して設けられた４つの取付フック１７を指で少し斜めにしてその先端の係止爪１７ａが中継器盤２１の４つの係合穴２５にそれぞれ挿入し、その後に指を離すと取付フック１７の弾性により元の位置に戻り、図１１に示すように取付フック１７の係止爪１７ａが係合穴２５の下縁に係止され、ベース１１が中継器盤２１に着脱可能に取り付けられる。しかる後に、中継器盤２１の開口をカバー扉２３で閉鎖する。
【００１５】
なお、中継器盤２１からベース１１を取り外すときは、中継器盤２１に取り付けられているベース１１の取付フック１７を指で少し斜めにして中継器盤２１の係合穴２５から係止爪１７ａの係止を解除させ、その後にベース１１の取付フック１７を中継器盤２１の係合穴２４から引き抜くことにより、中継器盤２１からベース１１を工具を使わずに簡単に取り外すことができる。また、中継器盤２１に取付フック１７を設け、ベース１１に係合穴２４を設けてもよい。
【００１６】
以上で説明したように本発明の実施の形態１によれば、ベース１１の中継器収容部１３に略箱形筐体の中継器１を収容させ、ベース１１の嵌合突部１４に中継器１の取付フランジ４の嵌合溝５を嵌合させると共にベース１１の係止片１５に中継器１の取付フランジ４の係止部６を係止させ、ベース１１の抜止用突起受け部１６に中継器１の係合用突起部７を抜け止め状態に係止させるようにしたので、中継器１をベース１１に取り付ける際は、工具を使わずにベース１１の各部材と中継器１の各部材との嵌合や係止という簡単な作業で行え、組立作業の効率化を図ることができ、しかもベース１１に中継器１がガタなく取り付けられる。
【００１７】
また、ベース１１に少なくとも一つ以上の中継器収容部１３を並設し、中継器１をそれぞれの中継器収容部１３に同一方向に配置するようにしたので、複数の中継器１を整列状態にベース１１に工具を使わず簡単な作業で取り付けることが可能になる。
さらに、中継器１を取り付けするベース１１が、中継器盤２１と着脱可能に取り付けされるので、ベース１１を中継器盤２１に対して工具を使わずに簡単に取り付け、取り外しができ、例えば、床面上でベース１１に複数の中継器１を取り付けし、各中継器１の配線接続後に、中継器盤２１に取り付けしてもよく、作業者が楽な姿勢で短時間に作業を実施することができる。
本発明の実施の形態１では、ベース１１に取り付けする中継器１は４つとし、中継器盤２１に取り付けするベース１１は２つとする例を示したが、防火対象物の規模により中継器１やベース１１の数は適宜に選択してもよい。
【図面の簡単な説明】
【００１８】
【図１】本発明の実施の形態１の中継器のベース取付構造を構成する中継器の平面図。
【図２】同中継器のベース取付構造を構成する中継器の正面図。
【図３】同中継器のベース取付構造を構成する中継器の側面図。
【図４】同中継器のベース取付構造を構成するベースの平面図。
【図５】同中継器のベース取付構造を構成するベースの側面図。
【図６】同中継器のベース取付構造を構成するベースの背面図。
【図７】同中継器のベース取付構造を構成するベースに複数の中継器を取り付けた状態の平面図。
【図８】同中継器のベース取付構造を構成するベースに複数の中継器を取り付けた状態の背面図。
【図９】図７のＡ−Ａ線で切断した断面図。
【図１０】中継器盤にベースを取り付けた状態の平面図。
【図１１】中継器盤とベースとの係合状態の断面図。
【符号の説明】
【００１９】
１  中継器、２  中継器本体、３  カバー、４  取付フランジ、５  嵌合溝、６  係止部、７  係合用突起部、８  端子台、９  アドレス設定器接続用コネクタ、１０ａ  本体被係合部、１０ｂ  カバー係合部、１１  ベース、１２  仕切壁、１３  中継器収容部、１４  嵌合突部、１５  係止片、１６  抜止用突起受け部、１７  取付フック、１７ａ  係止爪、２１  中継器盤、２２  中継器盤本体、２３  カバー扉、２４  蝶番、２５  係合穴。
【図１】
2007334592.tif 000003
【図２】
2007334592.tif 000004
【図３】
2007334592.tif 000005
【図４】
2007334592.tif 000006
【図５】
2007334592.tif 000007
【図６】
2007334592.tif 000008
【図７】
2007334592.tif 000009
【図８】
2007334592.tif 000010
【図９】
2007334592.tif 000011
【図１０】
2007334592.tif 000012
【図１１】
2007334592.tif 000013